(57)【特許請求の範囲】
【請求項１】
本体ハウジングの先端に着脱可能に設けられ円筒状に形成されて軸方向に刃溝を有する櫛歯状の外刃と、外刃の内面に沿って回転する内刃と、内刃が取り付けられた内刃台とを備え、前記内刃台は本体ハウジングに対して着脱自在に取り付けられており、且つ、本体ハウジングの先端方向に突出する一対のつまみ部を有し、この一対のつまみ部間に前記内刃を配置して、内刃とつまみ部との間に空間を形成したことを特徴とする鼻毛カッター。
【発明の詳細な説明】
【０００１】
【発明の属する技術分野】
本発明は、鼻腔の中に伸びた鼻毛をカットする鼻毛カッターに関するものである。
【０００２】
【従来の技術】
従来、鼻毛カッターは、例えば特開平８−１００３９号公報に開示されているものが知られている。この鼻毛カッターは、本体ハウジングの先端に外刃を設け、外刃の内面に回転する内刃を設けている。そして、これらの外刃や内刃が本体ハウジングに対して着脱自在となっている。
【０００３】
本体ハウジングから外刃や内刃を取り外すことによって、本体ハウジングや外刃や内刃の掃除がしやすくなる。本体ハウジングに堆積した毛屑や、外刃や内刃に付着した毛屑を掃除する場合に、本体ハウジングから外刃や内刃を取り外すことによって、個々の部品ごとにブラシ等で細部まで掃除ができる。
【０００４】
【発明が解決しようとする課題】
しかしながら、この公報に開示されている鼻毛カッターは、外刃を取り外すことによって内刃が露出したときに内刃に手が触れやすくなり、また、さらに内刃を着脱するときにも、内刃を支持している内刃台が手で持ちにくい形状となっているために、内刃を手で持たなければならず、手を切ってしまうおそれがある。
【０００５】
従って、この発明は、鼻毛カッターの内刃や外刃を掃除するときに、本体ハウジングから内刃を容易に且つ安全に着脱ができ、また、内刃や外刃の掃除が行いやすい鼻毛カッターを提供するものである。
【０００６】
【課題を解決するための手段】
この発明は、上記課題を解決するために、本体ハウジングの先端に着脱可能に設けられ円筒状に形成されて軸方向に刃溝を有する櫛歯状の外刃と、外刃の内面に沿って回転する内刃と、内刃が取り付けられた内刃台とを備え、前記内刃台は本体ハウジングに対して着脱自在に取り付けられており、且つ、本体ハウジングの先端方向に突出する一対のつまみ部を有し、この一対のつまみ部間に前記内刃を配置して、内刃とつまみ部との間に空間を形成したことを特徴とする。
【０００７】
【発明の実施の形態】
本発明の実施例を図面に基づき説明する。本発明の鼻毛カッターは、本体ハウジング１と、本体ハウジング１の先端に設けたヘッド部２とから全体の外郭が構成されている。本体ハウジング１は、外装ケース１１が光沢のある薄いアルミニウムで形成された細い円筒状に形成されている。そして、表面に上下スライド可能なスイッチ摘み１２を設け、スイッチ摘み１２を上方位置で電源がオン、下方位置でオフするようになっている。
【０００８】
本体ハウジング１の下方側には、図示しないが駆動用の単４型電池が１本収納できるようになっている。このため、円筒状の外装ケース１１の直径はちょうど単４型電池が収納できる太さに設計されており、化粧ポーチのようなバッグにも納まって持ち運びもしやすく、また手で持ちやすく使い易いようになっている。
【０００９】
尚、電池切れ等で電池を交換するときは、前記円筒状の外装ケース１１を本体ハウジング１から引き抜いて電池を取り出す。そして、交換用の電池を装着した後、前記外装ケース１１を本体ハウジング１に被せていく。このとき、前記スイッチ摘み１２が外装ケース１１に設けた切欠に嵌まり合うように被せていくことで、外装ケース１１の回り止めと位置決めを行うことができる。
【００１０】
また、本体ハウジング１の上方側には、モーター１３と、モーター１３のシャフトに連結されたジョイント１４とが設けられている。そして、このジョイント１４は、本体ハウジング１の上端から突出するようになっている。
【００１１】
次に、ヘッド部２は、円形に形成された複数の櫛歯状の刃溝を有した外刃３と、外刃３がインサート成形された外刃枠４と、また、一対の細長い刃によって構成された内刃５と、内刃５を取り付けた内刃台６とを有している。尚、このヘッド部２は、本体ハウジング１の上端に着脱自在となっており、外刃３をインサート成形した外刃枠４と、内刃５を取り付けた内刃台６とが互いに分離可能で、各々個別に本体ハウジング１に着脱ができるようになっている。
【００１２】
内刃５は、かえり部５１を有しており、このかえり部５１が内刃台６に形成された係合孔６１に係合することによって、内刃５が内刃台６に取り付けられる。また、内刃５は、外方へ広がるようにして加工されており、前記外刃３内に装着されたときに、外刃３の内面に圧接するようになっている。
【００１３】
内刃台６は、前記モーター１３のシャフトに連結されたジョイント１４を嵌入して回転可能になっており、内刃台６が回転することによって、内刃台６に取り付けた内刃５が外刃３の内面を摺接しながら回転し、外刃３の櫛歯状の刃溝の間から導入された鼻毛をカットすることができる。
【００１４】
また、内刃台６は、本体ハウジング１の先端方向に突出する一対のつまみ部６２を有しており、この一対のつまみ部６２間に前記内刃５が配置されるようになっている。そして、内刃５とつまみ部６２との間には空間６３が形成されている。
【００１５】
従って、本発明の鼻毛カッターを掃除する際には、外刃３をインサート成形した外刃枠４を本体ハウジング１から取り外し、さらに、本体ハウジング１から内刃台６を取り外すか、または、本体ハウジング１からヘッド部２を取り外した後、外刃枠４と内刃台６を分離する等して、外刃３と内刃５を各々取り出してブラシあるいは水洗い等で掃除する。
【００１６】
このとき、内刃台６に設けた前記つまみ部６２を手で持って内刃台６を本体ハウジング１から引き抜いたり、あるいは取り付けたりすることができるので、着脱操作が行いやすく便利に使用できる。また、つまみ部６２と内刃５との間に空間６３が形成されているから、つまみ部６２を手で持っても手が内刃５に触れることはなく、安全に着脱操作が行える。さらに、掃除をする際にも、このつまみ部６２を手で持ちながらブラシや水洗い等の掃除ができるので、内刃台６の下方に堆積した毛屑の掃除が行いやすい特徴がある。
【００１７】
【発明の効果】
以上のように本発明によれば、本体ハウジングの先端に着脱可能に設けられ円筒状に形成されて軸方向に刃溝を有する櫛歯状の外刃と、外刃の内面に沿って回転する内刃と、内刃が取り付けられた内刃台とを備え、前記内刃台は本体ハウジングに対して着脱自在に取り付けられており、且つ、本体ハウジングの先端方向に突出する一対のつまみ部を有し、この一対のつまみ部間に前記内刃を配置して、内刃とつまみ部との間に空間を形成したことを特徴とするものであるから、内刃台に設けた前記つまみ部を手で持って内刃台を本体ハウジングから引き抜いたり、あるいは取り付けたりすることができるので、着脱操作が行いやすく便利に使用できる。また、つまみ部と内刃との間に空間が形成されているから、つまみ部を手で持っても手が内刃に触れることはなく、安全に着脱操作が行える。さらに、掃除をする際にも、このつまみ部を手で持ちながらブラシや水洗い等の掃除ができるので、内刃台の下方に堆積した毛屑の掃除を行いやすくすることもできる。
【図面の簡単な説明】
【図１】鼻毛カッターの外観斜視図
【図２】ヘッド部の断面図
【図３】ヘッド部の一部破断斜視図
【図４】内刃台の斜視図
【符号の説明】
１        本体ハウジング
１１      外装ケース
１２      スイッチ摘み
１３      モーター
１４      ジョイント
２        ヘッド部
３        外刃
４        外刃枠
５        内刃
５１      かえり部
６        内刃台
６１      係合孔
６２      つまみ部
６３      空間
【図１】
0003863692.tif 000002
【図２】
0003863692.tif 000003
【図３】
0003863692.tif 000004
【図４】
0003863692.tif 000005